(57)【要約】【課題】ユーザビリティーを向上させることができる生体情報測定機器、および生体情処理方法を提供すること。【解決手段】生体情報測定機器は、太陽電池と、通知部と、ユーザーの生体の状態に応じた生体信号を出力するセンシング部と、プロセッサーと、を備え、前記プロセッサーは、  前記生体信号に基づいて前記ユーザーの体内時計の乱れを判定し、前記生体信号に基づいて前記ユーザーの起床を検出し、前記体内時計に乱れがある場合、前記起床後からの前記太陽電池の累積発電量に基づく通知情報を生成し、前記通知部に前記通知情報を通知させることを特徴とする。【選択図】図５
2019170773.tif 000002
【特許請求の範囲】
【請求項１】
太陽電池と、
通知部と、
ユーザーの生体の状態に応じた生体信号を出力するセンシング部と、
プロセッサーと、を備え、
前記プロセッサーは、
前記生体信号に基づいて前記ユーザーの体内時計の乱れを判定し、
前記生体信号に基づいて前記ユーザーの起床を検出し、
前記体内時計に乱れがある場合、前記起床後からの前記太陽電池の累積発電量に基づく通知情報を生成し、前記通知部に前記通知情報を通知させることを特徴とする生体情報測定機器。
【請求項２】
前記プロセッサーは、前記起床の時刻が午前であるか午後であるかを判定する請求項１に記載の生体情報測定機器。
【請求項３】
前記プロセッサーは、所定期間内に集積した前記生体信号の履歴に基づいて前記体内時計の乱れを判定する請求項１または２に記載の生体情報測定機器。
【請求項４】
前記プロセッサーは、前記ユーザーの入眠の時刻、および前記起床の時刻に基づいて前記体内時計の乱れを判定する請求項１ないし３のいずれか１項に記載の生体情報測定機器。
【請求項５】
前記プロセッサーは、前記ユーザーが睡眠中に覚醒したか否か、前記ユーザーの睡眠中の覚醒回数、および前記ユーザーの睡眠の深度のうちの少なくとも１つに基づいて前記体内時計の乱れを判定する請求項４に記載の生体情報測定機器。
【請求項６】
前記ユーザーが午前中に起床したと判定した場合、前記ユーザーの前記起床後、所定時間の前記累積発電量を計測し、
前記累積発電量が基準値に達しない場合、前記通知情報を前記通知部に通知させる請求項１ないし５のいずれか１項に記載の生体情報測定機器。
【請求項７】
前記通知部は、ディスプレイ、前記ユーザーに音を伝える音発生部、および前記ユーザーに振動を伝える振動部のうちの少なくとも１つを含む請求項１ないし６のいずれか１項に記載の生体情報測定機器。
【請求項８】
センシング部から出力されたユーザーの生体の状態に応じた生体信号に基づいて、前記ユーザーの体内時計の乱れを判定し、
前記生体信号に基づいて、前記ユーザーの起床を検出し、
前記体内時計に乱れがある場合、前記起床後の太陽電池の累積発電量を計測し、前記累積発電量に基づく通知情報を作成し、前記通知情報を通知部に通知させることを特徴とする生体情報処理方法。
【発明の詳細な説明】
【技術分野】
【０００１】
本発明は、生体情報測定機器、および生体情報処理方法に関する。
【背景技術】
【０００２】
ユーザーの手首等に装着されるウェアラブル機器として、ユーザーの活動量を測定する機能を有する測定機器が知られている。
【０００３】
特許文献１には、ユーザーの活動量を測定し、その測定結果を活動データとして画面上に表示するウェアラブル型の測定装置が開示されている。かかる測定装置は、日光を集光して発電する太陽電池部と、活動データを出力するための処理を実行する回路部と、を備える。測定装置は、概日リズムをリセットするために必要な日光を集光することで太陽電池部により発電する発電量と、回路部で１日に消費する電力量とが等しくなるよう設計されている。ユーザーは、測定装置を装着して日光を浴びるよう活動することで、概日リズムをリセットでき、かつ、測定装置の電力不足を防ぐことができる。
【先行技術文献】
【特許文献】
【０００４】
【特許文献１】特開２０１７−１８５０５０号公報
【発明の概要】
【発明が解決しようとする課題】
【０００５】
しかし、特許文献１に記載の測定装置は、画面上に１日に必要な日光の照射時間をユーザーに表示するが、概日リズムの乱れを判定しておらず、ユーザーの概日リズムに合わせた表示を行っていない。そのため、ユーザーは必要とするタイミングで通知を受けることができず、ユーザビリティーに欠けるという問題があった。
【課題を解決するための手段】
【０００６】
本発明の一態様に係る生体情報測定機器は、太陽電池と、通知部と、ユーザーの生体の状態に応じた生体信号を出力するセンシング部と、プロセッサーと、を備え、前記プロセッサーは、前記生体信号に基づいて前記ユーザーの体内時計の乱れを判定し、前記生体信号に基づいて前記ユーザーの起床を検出し、前記体内時計に乱れがある場合、前記起床後からの前記太陽電池の累積発電量に基づく通知情報を生成し、前記通知部に前記通知情報を通知させることを特徴とすることを特徴とする。
【０００７】
本発明の一態様によれば、体内時計に乱れがあると判定した場合、累積発電量に基づく通知情報を通知部により通知させることで、ユーザーに対して光を浴びることを直接的または間接的に促すことができる。そのため、ユーザビリティーを向上させることができる。
【０００８】
また本発明の一態様では、前記プロセッサーは、前記起床の時刻が午前であるか午後であるかを判定することが好ましい。
【０００９】
この態様によれば、午前の起床時と午後の起床時とのそれぞれに適した内容を通知部により通知させることができる。そのため、ユーザビリティーをより向上させることができる。
【００１０】
また本発明の一態様では、前記プロセッサーは、所定期間内に集積した前記生体信号の履歴に基づいて前記体内時計の乱れを判定することが好ましい。
【００１１】
この態様によれば、履歴を用いない場合に比べて、判定の精度を高めることができる。
【００１２】
また本発明の一態様では、前記プロセッサーは、前記ユーザーの入眠の時刻、および前記起床の時刻に基づいて前記体内時計の乱れを判定することが好ましい。
【００１３】
この態様によれば、複雑な計算等を要さず、時刻だけで体内時計の乱れを簡単に判定できる。
【００１４】
また本発明の一態様では、前記プロセッサーは、前記ユーザーが睡眠中に覚醒したか否か、前記ユーザーの睡眠中の覚醒回数、および前記ユーザーの睡眠の深度のうちの少なくとも１つに基づいて前記体内時計の乱れを判定することが好ましい。
【００１５】
この態様によれば、時刻だけで体内時計の乱れを判定する場合に比べて、判定の精度をより高めることができる。
【００１６】
また本発明の一態様では、前記ユーザーが午前中に起床したと判定した場合、前記ユーザーの前記起床後、所定時間の前記累積発電量を計測し、前記累積発電量が基準値に達しない場合、前記通知情報を前記通知部により通知させることが好ましい。
【００１７】
この態様によれば、ユーザーが午前中に起床し、かつ、累積発電量が基準値に達していない場合に、通知情報が通知されるので、ユーザビリティーをより向上させることができる。
【００１８】
また本発明の一態様では、前記通知部は、ディスプレイ、前記ユーザーに音を伝える音発生部、および前記ユーザーに振動を伝える振動部のうちの少なくとも１つを含むことが好ましい。
【００１９】
この態様によれば、ユーザーに対して通知情報を簡単に通知できる。
【００２０】
本発明の一態様に係る生体情報処理方法は、センシング部から出力されたユーザーの生体の状態に応じた生体信号に基づいて、前記ユーザーの体内時計の乱れを判定し、前記生体信号に基づいて、前記ユーザーの起床を検出し、前記体内時計に乱れがある場合、前記起床後の太陽電池の累積発電量を計測し、前記累積発電量に基づく通知情報を生成し前記通知情報を通知部に通知させることを特徴とする。
【００２１】
本発明の一態様では、体内時計に乱れがあると判定した場合、累積発電量に基づく通知情報を通知部に通知させることで、ユーザーに対して直接的または間接的に光を浴びることを促すことができる。そのため、ユーザビリティーを向上させることができる。
【図面の簡単な説明】
【００２２】
【図１】第１実施形態にかかる測定機器を含む処理システムを示す図である。
【図２】第１実施形態にかかる測定機器の斜視図である。
【図３】図２とは異なる方向から見た測定機器の斜視図である。
【図４】図２に示す測定機器のブロック図である。
【図５】図２に示す測定機器による処理の一例を示すフローチャートである。
【図６】第２実施形態にかかる測定機器による処理の一例を示すフローチャートである。
【図７】第３実施形態にかかる測定機器による処理の一例を示すフローチャートである。
【発明を実施するための形態】
【００２３】
以下、添付図面を参照しながら本発明に係る好適な実施形態を説明する。なお、図面において各部の寸法や縮尺は実際のものと適宜異なる。また、本発明の範囲は、以下の説明において特に本発明を限定する旨の記載がない限り、これらの形態に限られるものではない。
【００２４】
＜第１実施形態＞
１．処理システム
図１は、第１実施形態にかかる測定機器を含む処理システムを示す図である。
【００２５】
図１に示すように、処理システム１は、測定機器１００と、測定機器１００と通信可能な外部装置９１と、を有する。また、測定機器１００は、インターネット等の通信ネットワーク９３を介してサーバー９２と通信可能である。
【００２６】
測定機器１００は、ユーザーＨの手首に装着可能な腕時計型の生体情報測定機器である。測定機器１００は、ユーザーＨの生体の状態に応じた生体信号（生体情報）を出力する機能と、生体信号を処理する処理装置としての機能とを有する。ここで、ユーザーＨの生体の状態としては、脈拍（心拍）、脈拍周期（心拍周期）、血圧、体温、および発汗量等の生理的な状態、ならびに、体動等が挙げられる。また、生体信号は、後述するセンシング部５から出力される電気信号である。また、測定機器１００は、時刻等の各種情報を表示する機能を有する。
【００２７】
外部装置９１は、例えば、パーソナルコンピューター、タブレット型端末、およびスマートフォン等の情報機器である。
【００２８】
なお、本実施形態では、測定機器１００が、生体信号を処理する処理装置としての機能を有する場合を例に説明するが、当該機能の一部または全部は、外部装置９１またはサーバー９２により実現されてもよい。また、図示では、測定機器１００は、ユーザーＨの手首に装着されているが、測定機器１００のユーザーＨに対する装着箇所は、手首に限定されず、首、足首および頭等であってもよい。
【００２９】
２．測定機器
図２は、第１実施形態にかかる測定機器の斜視図である。図３は、図２とは異なる方向から見た測定機器の斜視図である。
【００３０】
図２および図３に示す測定機器１００は、開口を有するケース１０と、当該開口を塞ぐ平板状のカバー１３と、ケース１０に取り付けられ、ユーザーＨに装着するために用いられる装着部材としての一対のベルト１９１およびベルト１９２と、を備える。
【００３１】
ケース１０は、中空の偏平形状をなし、その内部にはディスプレイ４および複数の太陽電池３が収容されている。カバー１３は、光透過性を有している。ユーザーＨは、カバー１３を介してディスプレイ４の表示を視認することができる。また、ケース１０には、ユーザーＨが押下可能な複数の操作ボタン１５が設けられている。操作ボタン１５は、ユーザーＨの指示を受ける操作部である。なお、操作部は、例えば、タッチパネル等であってもよい。
【００３２】
なお、ケース１０、カバー１３、ベルト１９１およびベルト１９２の各形状は、図示の形状に限定されず任意である。
【００３３】
図４は、図２に示す測定機器のブロック図である。
【００３４】
図４に示すように、測定機器１００は、太陽電池３と、通知部４０（ディスプレイ４、振動部７１、および音発生部７２）と、脈波センサー５１およびモーションセンサー５２を有するセンシング部５と、無線通信部６１と、ＧＰＳ受信部６２と、電源回路７５１と、バッテリー７５２と、計時部２５と、記憶部２１と、制御部２０と、を有する。これらは、図２に示すケース１０とカバー１３とで囲まれた空間内に収容されている。
【００３５】
太陽電池３は、日光（太陽光）等の光のエネルギーを電力に変換する。なお、太陽電池３の数および配置は図２に示す数および配置に限定されず任意である。
【００３６】
ディスプレイ４は、時刻、生体の状態および太陽電池３の発電量を示す画像を表示する。ディスプレイ４は、例えば、液晶パネル、電子ペーパーパネルおよび有機エレクトロルミネッセンスパネル等の表示パネルと、当該表示パネルを駆動する駆動回路とを含む。
【００３７】
センシング部５は、生体の状態に応じた生体信号を制御部２０へと出力する。
【００３８】
脈波センサー５１は、ユーザーＨの脈波に応じた生体信号を出力する。脈波センサー５１は、例えば、ＬＥＤ等の発光素子とフォトダイオード等の受光素子とを含む光電センサーである。脈波センサー５１は、血管の拡張時と収縮時とで光の反射率が異なる現象を利用し、光をユーザーＨの皮膚内の血管に照射し、皮膚内部から戻ってきた光を受光素子で測定する。なお、発光素子からの光は、図３に示すケース１０に設けられた窓部１１２を透過してユーザーＨに照射され、ユーザーＨで反射した光は窓部１１２を透過して受光素子で受光される。なお、脈波センサー５１は、光電センサーに限定されず、例えば圧電素子を備えた超音波センサー等を用いてもよい。
【００３９】
モーションセンサー５２は、体動に応じた生体信号を出力する。モーションセンサー５２は、体動を検出できれば、どのようなものであってもよい。モーションセンサー５２としては、例えば、加速度センサーが挙げられる。また、モーションセンサー５２は、例えば、加速度センサーとジャイロセンサーとが組み合わされたセンサーであってもよい。加速度センサーは、測定機器１００に加わる加速度を３軸で検出する。加速度センサーは、例えば、ＭＥＭＳ技術を用いて製造された加速度センサー素子を含む。ジャイロセンサーは、測定機器１００に加わる角速度を３軸で検出する。ジャイロセンサーは、例えば、ＭＥＭＳ技術を用いて製造された角速度センサー素子を含む。なお、モーションセンサー５２は、さらに方位センサーを組み合わせたセンサーであってもよい。方位センサーは、測定機器１００の向いている方角を計測するためのセンサーである。方位センサーは、例えば、磁気を検知するホール素子とその信号処理回路とを含む磁気センサーを含む。
【００４０】
また、センシング部５は、図示はしないが、脈波センサー５１およびモーションセンサー５２以外のその他センサーを有する。その他センサーとしては、例えば、測定機器１００の外部の気圧を検出する気圧センサー、外部の温度を検出する環境温度センサー、外部の湿度を検出する環境湿度センサー、ユーザーＨの皮膚の温度を測定する温度センサー、およびユーザーＨの皮膚の湿度を測定する湿度センサーが挙げられる。
【００４１】
なお、センシング部５が有する複数のセンサーのうちのいくつかは適宜省略してもよい。
【００４２】
無線通信部６１は、無線通信機能を有し、図１に示す外部装置９１と各種データのやり取りをする。無線通信部６１は、例えば、無線通信用アンテナと、受信した無線信号を電気信号に変換する受信回路と、電気信号を無線信号に変換する送信回路と、を含む。無線通信方式としては、例えば、Ｗｉ−Ｆｉ（登録商標）を含む無線ＬＡＮ（Local  Area  Network）、およびＢｌｕｅｔｏｏｔｈ（登録商標）等の近距離無線通信方式が挙げられる。
【００４３】
ＧＰＳ受信部６２は、ＧＰＳ（Global  Positioning  System）衛星信号を受信する機能を有する。ＧＰＳ受信部６２は、例えば、ＧＰＳ衛星信号を受信するＧＰＳ用アンテナと、ＧＰＳ用アンテナで受けた信号を処理する受信回路とを含む。
【００４４】
振動部７１は、ケース１０を振動させる機能を有する。振動部７１は、例えば、軸部に偏心した錘が取り付けられたモーターを含む。なお、振動部７１は、圧電素子を含んで構成されていてもよい。振動部７１を駆動させることにより、振動部７１の振動がケース１０に伝達されて、ケース１０に伝わった振動が使用者に伝達される。これにより、ユーザーＨに所定条件である旨を報知することができる。
【００４５】
音発生部７２は、ユーザーが視聴可能な音を発生させる機能を有する。音発生部７２は、例えば、オーディオ回路およびスピーカーを含む。音発生部７２から所定条件のときに音を発生させることにより、ユーザーＨに所定条件である旨を報知することができる。
【００４６】
電源回路７５１は、バッテリー７５２からの電力を制御部２０およびディスプレイ４等の各部に対して供給する機能を有する。バッテリー７５２としては、特に限定されないが、例えば、リチウム一次電池等の一次電池、またはリチウムイオン二次電池等の二次電池を用いることができる。
【００４７】
制御部２０は、測定機器１００の全体を制御するプロセッサーであり、例えば単数または複数のチップで構成される。制御部２０は、例えば、外部装置９１とのインタフェース、演算装置およびレジスター等を含む中央処理装置（ＣＰＵ：Central  Processing  Unit）で構成される。なお、制御部２０の機能の一部または全部を、ＤＳＰ（Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）等で実現してもよい。制御部２０は、各種の処理を並列的または逐次的に実行する。
【００４８】
制御部２０は、記憶部２１に記憶されたプログラムを実行することで測定機器１００が有する各部の制御等を行う。制御部２０は、例えば、脈波センサー５１から出力された生体信号を基にして脈拍（心拍）、脈拍周期（心拍周期）、血圧等を求める。また、制御部２０は、モーションセンサー５２から出力された生体信号を基にして体動等を求める。また、制御部２０は、例えば、生体情報処理プログラムを実行して、センシング部５から出力された生体信号を基にしてディスプレイ４の表示を制御する。また、制御部２０は、生体信号を基にして振動部７１および音発生部７２を駆動させる。また、制御部２０は、操作ボタン１５の操作に応じてディスプレイ４に表示させる画像の種類を変更する。
【００４９】
記憶部２１は、制御部２０が読取可能な記録媒体であり、制御部２０が実行する複数のプログラム、制御部２０が使用する各種のデータ号および各種プログラム等を記憶する。具体的には、記憶部２１は、生体情報処理プログラムを記憶している。記憶部２１は、例えば、ＲＯＭ（Read  Only  Memory）、ＥＰＲＯＭ（Erasable  Programmable  ROM）、ＥＥＰＲＯＭ（Electrically  Erasable  Programmable  ROM）、ＲＡＭ（Random  Access  Memory）等の記憶回路の１種類以上で構成される。
【００５０】
計時部２５は、例えば、リアルタイムクロック等で構成され、時刻データを生成して制御部２０に出力する。
【００５１】
以上、測定機器１００について簡単に説明した。なお、測定機器１００は、少なくとも、制御部２０、計時部２５、センシング部５、ディスプレイ４、および太陽電池３を有していればよく、その他各部は、適宜省略、または同様の機能を発揮するものに代替してもよい。
【００５２】
３．測定機器の処理
図５は、図２に示す測定機器による処理の一例を示すフローチャートである。以下では、測定機器１００は、ユーザーＨの生体の状態に応じた生体信号に基づいて体内時計の乱れを判定し、体内時計に乱れがある場合、ユーザーＨに通知情報を通知部４０により通知させる処理を行う。なお、以下では、通知部４０のうちのディスプレイ４によって、ユーザーＨに通知情報を通知する場合を代表して説明する。
【００５３】
図５に示すフローチャートに示す処理は、制御部２０が記憶部２１から生体情報処理プログラムを読み出して実行し、測定機器１００の各部の駆動を制御することで実現できる。制御部２０は、例えば、ユーザーＨにより操作ボタン１５が操作されたら、フローチャートに示す処理を開始する。なお、制御部２０は、センシング部５から出力された生体信号を基にしてフローチャートに示す処理を開始してもよい。例えば、制御部２０は、脈波センサー５１から出力されたユーザーＨの脈波に基づく生体信号を取得したら、フローチャートに示す処理を開始するようにしてもよい。また、例えば、制御部２０は、計時部２５から指定の時刻情報を取得したら、フローチャートに示す処理を開始するようにしてもよい。
【００５４】
まず、制御部２０は、センシング部５から生体信号を取得し（ステップＳ１１）、記憶部２１に生体信号を記憶させ、蓄積する（ステップＳ１２）。なお、生体信号は、例えば、連続的に、または所定周期ごとに取得される。
【００５５】
次に、制御部２０は、蓄積した生体信号に基づいて体内時計が乱れているか否かを判定し、体内時計が乱れていると判定するまで（ステップＳ１３：Ｎｏ）、ステップＳ１１およびＳ１２を繰り返す。
【００５６】
本明細書において、体内時計とは、概日リズムである。体内時計の乱れは、例えば、入眠の時刻および起床の時刻を含む睡眠時刻のデータの履歴を基にして判定される。具体的には、例えば、ユーザー自身が基準となる起床の時刻および入眠の時刻を予め入力し、入力された起床の時刻および入眠の時刻と実際の起床の時刻および入眠の時刻との差分を算出し、差分が閾値を超えた場合に、体内時計が乱れていると判定してもよい。さらに、基準となる起床の時刻および入眠の時刻は、過去の起床の時刻および入眠の時刻の移動平均で特定してもよい。
【００５７】
入眠の時刻、および起床の時刻は、それぞれ、計時部２５から出力された信号、およびセンシング部５から出力された生体信号を基にして求められる。入眠したか否か、および起床したか否かは、それぞれ、例えば、脈波センサー５１からの生体信号を基にして求めた脈拍周期、およびモーションセンサー５２からの生体信号を基にして求めユーザーＨの体動のうちの少なくとも１つを用いて求められる。
【００５８】
また、体内時計の乱れの判定要素としては、睡眠時刻のデータに限定されない。例えば、睡眠時刻のデータ以外の判定要素としては、睡眠時の状態に関するデータ、活動量に関するデータ、外部環境に関するデータ、およびユーザーＨが予め登録した登録データ等が挙げられる。
【００５９】
睡眠時の状態に関するデータとしては、例えば、睡眠中に覚醒したか否か、睡眠中の覚醒回数、および睡眠の深度等のデータが挙げられる。活動量に関するデータとしては、例えば、ユーザーＨの移動速度、および消費カロリー等のデータが挙げられる。外部環境に関するデータとしては、例えば、環境温度、環境湿度、および天気等のデータが挙げられる。また、登録データとしては、例えば、身長、体重、年齢および性別等のデータが挙げられる。
【００６０】
睡眠時の状態、および活動量は、それぞれ、例えば、脈波センサー５１からの生体信号を基にして求めた脈拍周期、およびモーションセンサー５２からの生体信号を基にして求めユーザーＨの体動のうちの少なくとも１つを用いて求められる。外部環境は、例えば、気圧センサーからの信号、環境温度センサーからの信号、および環境湿度センサーからの信号のうちの少なくとも一つを用いて求められる。
【００６１】
次に、制御部２０は、体内時計が乱れていると判定したら（ステップＳ１３：Ｙｅｓ）、生体信号を基にして起床を検出して起床の時刻を特定する（ステップＳ１４）。なお、ステップＳ１４を行った後に、前述したステップＳ１３を行ってもよい。
【００６２】
次に、制御部２０は、起床の時刻が午前であるか否かを判定する（ステップＳ１５）。制御部２０は、起床の時刻が午前であると判定したら（ステップＳ１５：Ｙｅｓ）、累積発電量の計測を開始し（ステップＳ１６）、所定時間に達するまで累積発電量の計測を行う（ステップＳ１７：Ｎｏ）。一方、制御部２０は、所定時間に達したら（ステップＳ１７：Ｙｅｓ）、累積発電量が基準値に達したか否かを判定する（ステップＳ１８）。
【００６３】
当該累積発電量は、太陽電池３の発電量の累積値である。また、本実施形態では、ステップＳ１７における所定時間の開始タイミング、すなわちステップＳ１６の計測開始時は、起床時である。また、ステップＳ１７における所定時間の終了タイミングは、センシング部５からの検出結果の履歴を基にして求めた時間であってもよいし、センシング部５からの検出結果とは関係なく、予め設定された時間であってもよい。例えば、終了タイミングは、体内時計をリセットするために必要な光量に応じた累積発電量を確保するのにかかった時間についての過去の履歴を基にして求めることができる。また、例えば、終了タイミングは、起床の時刻から１時間後と設定することができる。ステップＳ１８における基準値は、センシング部５からの検出結果の履歴を基にして求めてもよいし、センシング部５からの検出結果とは関係なく、予め設定してもよい。
【００６４】
次に、制御部２０は、累積発電量が基準値に達していないと判定したら（ステップＳ１８：Ｎｏ）、通知情報を作成し、ディスプレイ４に通知情報を示す画像を表示させる（ステップＳ１９）。一方、制御部２０は、累積発電量が基準値に達したと判定したら（ステップＳ１８：Ｙｅｓ）、通知情報の作成を省力し、図５に示す処理を終了する。
【００６５】
累積発電量が基準値に達していないということは、体内時計のリセットに十分な日射量を浴びていないということである。一方、累積発電量が基準値に達したということは、体内時計のリセットに十分な日射量を浴びたということである。
【００６６】
通知情報を示す画像は、例えば、体内時計の改善提案に関するアドバイス情報を示す画像である。アドバイス情報を示す画像は、例えば、日光を浴びることを促す情報を示す画像である。具体的には、制御部２０は、例えば、「日向へ移動して日光浴をした方が良い」という旨の画像をディスプレイ４に表示させる。
【００６７】
また、制御部２０は、ステップＳ１５において、起床の時刻が午前ではなく、午後であると判定したら（ステップＳ１５：Ｎｏ）、前述したステップＳ１９での通知とは異なる内容の情報を作成し、当該情報を示す画像をディスプレイ４に表示させる（ステップＳ２０）。
【００６８】
当該情報を示す画像は、例えば、起床時間の改善を促す情報を示す画像である。具体的には、制御部２０は、例えば、「生活リズムを改善するよう午前中に起床した方が良い」という旨の画像をディスプレイ４に表示させる。
【００６９】
以上、図５に示す測定機器１００による処理、すなわち生体情報処理方法について説明した。
【００７０】
前述したように、「生体情報測定機器」の一例である測定機器１００は、太陽電池３と、通知部４０と、ユーザーＨの生体の状態に応じた生体信号（生体情報）を出力するセンシング部５と、プロセッサーである制御部２０と、を備える（図４参照）。また、前述したように、制御部２０は、ステップＳ１３で生体信号に基づいてユーザーの体内時計の乱れを判定し、ステップＳ１４で生体信号に基づいてユーザーＨの起床を検出する（図５参照）。また、制御部２０は、体内時計に乱れがある場合、ステップＳ１６で起床後からの太陽電池３の累積発電量を計測し、ステップＳ１９で累積発電量に基づく通知情報を生成し、通知部４０に通知情報を通知させる。前述した説明では、代表して通知部４０のうちディスプレイ４により通知情報を通知している。
【００７１】
かかる測定機器１００によれば、体内時計に乱れがある場合、通知情報を通知するので、ユーザーＨに対して直接的にまたは間接的に光を浴びることを促すことができる。そのため、ユーザビリティーを向上させることができる。
【００７２】
また、本実施形態のように通知情報を示す画像をディスプレイ４に表示させる場合、通知情報を示す画像は、前述したように、例えば、体内時計の改善提案に関するアドバイス情報を示す画像である。アドバイス情報を示す画像は、例えば、日光を浴びることを促す情報を示す画像である。制御部２０は、日光を浴びることを促す情報を示す画像をディスプレイ４に表示させることで、ユーザーＨに対して直接的に光を浴びることを促すことができる。なお、日光を浴びることを促す情報を示す画像は、文字で表されてもよいし、文字ではなく記号等で表されてもよい。
【００７３】
また、通知情報を示す画像は、累積発電量に基づく通知情報を示す画像であればよく、アドバイス情報を示す画像以外の画像であってもよい。具体的には、通知情報を示す画像は、例えば、体内時計が乱れている旨の情報を示す画像、または日照量が不足している旨の情報を示す画像であってもよい。制御部２０は、かかる画像をディスプレイ４に表示させることで、ユーザーＨに対して間接的に光を浴びることを促すことができる。
【００７４】
また、制御部２０は、ユーザーＨに通知情報を通知部４０により通知させればよい。よって、制御部２０は、通知情報を示す画像をディスプレイ４に表示させることの代わりに、通知情報を示す振動を振動部７１に発生させること、または、通知情報を示す音を音発生部７２に発生させることを行ってもよい。振動部７１により通知する場合、例えば、通知内容に応じで振動のパターンを変更する。また、音発生部７２により通知する場合、例えば、音の種類を変更する。また、制御部２０は、通知情報を示す画像、振動部７１による振動、および音発生部７２による音のうちの２つ以上を組み合わせてユーザーＨに通知情報を通知してもよい。これにより、ユーザーＨは、通知情報を示す画像が表示されていることに気づき易くなる。特に、前述したように、ディスプレイ４を用いて通知情報を通知することでユーザーＨは通知内容を詳細に把握できる点で好ましい。
【００７５】
また、前述したように、制御部２０は、ユーザーＨが午前中に起床したと判定した場合（ステップＳ１５）、ユーザーＨの起床後、所定時間までの累積発電量を計測し（ステップＳ１６およびＳ１７）、累積発電量が基準値に達しない場合（ステップＳ１８：Ｙｅｓ）、通知情報を通知部４０によりに通知させる（ステップＳ１９）。
【００７６】
制御部２０は、起床後の累積発電量が基準値に達していないと判定した場合、すなわち体内時計のリセットに十分な日射量を浴びていない場合、通知情報が通知されるので、ユーザビリティーをより向上させることができる。一方、制御部２０は、起床後の累積発電量が基準値に達したと判定した場合、すなわち体内時計のリセットに十分な日射量を浴びた場合、通知情報の通知を省略する（ステップＳ１８：Ｎｏ）。かかる通知が省略されるので、ユーザーＨにとっての煩わしさを低減できる。
【００７７】
また、前述したように、制御部２０は、ステップＳ１５で、起床の時刻が午前であるか午後であるかを判定する（ステップＳ１５）。
【００７８】
かかる判定を行うことで、制御部２０は、午前の起床時と午後の起床時とのそれぞれに適した内容を通知できる。そのため、ユーザビリティーをより向上させることができる。例えば、前述したように、制御部２０は、午後に起床した場合には、午前に起床した場合と異なる通知をする。制御部２０は、午前に起床したと判定した場合、例えば前述したように、累積発電量に基づく通知情報を示す画像をディスプレイ４に表示させる。一方、制御部２０は、午後に起床したと判定した場合、例えば、生活リズムを改めて、朝方にするように促す内容をディスプレイ４に表示させる。
【００７９】
また、前述したように制御部２０は、所定期間内に集積した生体信号の履歴に基づいて体内時計の乱れを判定する。具体的には、ステップＳ１２で生体信号を蓄積し、その蓄積した生体信号の履歴に基づいて、ステップＳ１３で体内時計の乱れを判定する。
【００８０】
生体信号の履歴を用いることで、履歴を用いない場合に比べて、判定の精度を高めることができる。例えば、生体信号の履歴を用いずに、ユーザーＨ自身が予め登録した内容のみを基にして体内時計の乱れを判定する場合に比べて、判定の精度を高めることができる。
【００８１】
また、制御部２０は、ステップＳ１３で、ユーザーの入眠の時刻、および起床の時刻に基づいて体内時計の乱れを判定する。
【００８２】
この判定によれば、制御部２０は、複雑な計算等を要さず、時刻だけで体内時計の乱れを簡単に判定できる。
【００８３】
さらに、前述したように、制御部２０は、ユーザーが睡眠中に覚醒したか否か、ユーザーの睡眠中の覚醒回数、およびユーザーの睡眠の深度のうちの少なくとも１つに基づいて体内時計の乱れを判定する。
【００８４】
この判定によれば、入眠の時刻および起床の時刻のみによって判定する場合に比べて、判定の精度をより高めることができる。また、覚醒したか否か、覚醒回数および睡眠の深度全てを判定要素として用いることで、判定の精度をより高めることができる。
【００８５】
さらに、前述したように、制御部２０は、活動量に関するデータ、外部環境に関するデータ、およびユーザーＨが予め登録した登録データのうちの少なくとも１つを用いて体内時計の乱れを判定してもよい。かかるデータを判定要素として追加することで、判定の精度をさらに高めることができる。
【００８６】
以上、図５に示すフローチャートを例に測定機器１００の処理を説明したが、例えば、制御部２０は、ステップＳ１３以降における各ステップにかかる処理を行っている最中に、ステップＳ１１およびＳ１２を行い続けていてもよい。
【００８７】
また、制御部２０は、累積発電量が基準値に達していないと判定したら（ステップＳ１８：Ｎｏ）、ステップＳ１９で通知情報を作成する前に、外部環境等を参照し、外部の状況を判定するステップを行ってもよい。
【００８８】
具体的に説明すると、例えば、制御部２０は、ステップＳ１８で累積発電量が基準値に達していないと判定したら、センシング部５から出力された信号を基にして求めた外部環境、およびＧＰＳ受信部６２から出力された信号を基にして求めた位置情報等を参照する。次いで、制御部２０は、外部環境および位置情報を基にして、温度、湿度、および天気等と、屋内に居るか屋外に居るか等の外部の状況を判定する。その後、ステップＳ１９で、外部の状況に応じた通知情報を作成する。例えば、制御部２０は、天気が雨等であり、日光を浴びることができない環境下であると判定した場合、照度が高い場所への移動を促す旨を示す画像をディスプレイ４に表示させる。なお、蛍光灯等に代表される室内灯の光は、日光（太陽光）に比べると非常に弱いため、これを考慮した通知を行う。また、制御部２０は、食事を取ること等の、体内時計を改善に関する追加のアドバイス情報を作成し、その旨を示す画像をディスプレイ４に表示させてもよい。また、制御部２０は、午前に起床してはいるが、日の出の時刻前であると判定したら、ステップＳ１９で、日の出後に日光を浴びた方が良い旨を示す情報を作成してもよい。このように、制御部２０は、外部環境および位置情報を参照して、外部の状況を判定することで、外部の状況に適した通知情報を作成することができる。
【００８９】
また、制御部２０は、ステップＳ１５において、起床の時刻が、午前であるか否かに加えて、日の出後であるか否かを判定してもよい。例えば、起床の時刻が、日の出後でかつ午前である場合、制御部２０はステップＳ１５からステップＳ１６に移行する。具体的には、例えば起床の時刻が午前８時である場合が、日の出後でかつ午前である場合に該当する。一方、起床の時刻が、日の出後では無いこと、および午前では無いことのいずれか一方を満たす場合、制御部２０はステップＳ１５からステップＳ２０に移行する。具体的には、例えば起床の時刻が午後３時である場合が、日の出後では無い場合に該当する。この場合、制御部２０はステップＳ１５からステップＳ２０に移行する。
【００９０】
＜第２実施形態＞
次に、本発明の第２実施形態について説明する。図６は、第２実施形態にかかる測定機器による処理の一例を示すフローチャートである。
【００９１】
本実施形態は、主に、測定機器による処理において、日の出の時刻の経過の判定を行うことが追加されていることが異なる以外は、前述した第１実施形態と同様である。
【００９２】
なお、以下の説明では、第２実施形態に関し、前述した実施形態との相違点を中心に説明し、同様の事項に関してはその説明を省略する。また、図６において、前述した実施形態と同様の構成については、同一符号を付している。
【００９３】
図６に示すフローチャートでは、制御部２０は、起床の時刻が午前であると判定したら（ステップＳ１５：Ｙｅｓ）、日の出時刻を経過したが否かを判定する（ステップＳ２１）。制御部２０は、日の出時刻を経過したと判定したら（ステップＳ２１：Ｙｅｓ）、累積発電量の計測を開始する（ステップＳ１６）。
【００９４】
また、制御部２０は、起床の時刻が日の出時刻の後である場合、ステップＳ１７における所定時間の開始タイミングを起床時とする。具体的には、起床の時刻が午前８時である場合、制御部２０は、ステップＳ１７における所定時間の開始タイミング、すなわちステップＳ１６の計測開始時を日の出時刻とする。一方、制御部２０は、起床の時刻が日の出時刻の前である場合、ステップＳ１７における所定時間の開始タイミングを日の出時とする。具体的には、起床の時刻が午前３時である場合、制御部２０は、ステップＳ１７における所定時間の開始タイミングを日の出時刻とする。このように、制御部２０は、起床の時刻のみでなく日の出時刻を用いることで、日の出時刻を用いない場合に比べて、日光を基にした累積発電量をより正確に計測できる。
【００９５】
以上説明したような第２実施形態によっても、ユーザビリティーを向上させることができる。
【００９６】
＜第３実施形態＞
次に、本発明の第３実施形態について説明する。図７は、第３実施形態にかかる測定機器による処理の一例を示すフローチャートである。
【００９７】
本実施形態は、主に、測定機器による処理において、起床の時刻が午前であるか否かの判定が省略されていることが異なる以外は、前述した第１実施形態と同様である。
【００９８】
なお、以下の説明では、第３実施形態に関し、前述した実施形態との相違点を中心に説明し、同様の事項に関してはその説明を省略する。また、図７において、前述した実施形態と同様の構成については、同一符号を付している。
【００９９】
図７に示すフローチャートでは、第１実施形態での起床の時刻が午前であるか否かの判定（ステップＳ１５）が省略されている。ゆえに、本実施形態では、制御部２０は、体内時計が乱れているか否かを判定したら、（ステップＳ１３：Ｙｅｓ）、起床の時刻を特定し（ステップＳ１４）、累積発電量の計測を開始する（ステップＳ１６）。
【０１００】
本実施形態では、制御部２０は、ユーザーＨの起床の時刻によらず、累積発電量を計測して、累積発電量を基にした通知を行う。制御部２０は、午前に起床した場合であっても午後に起床した場合であっても、累積発電量を基にした通知を行うことで、午前に起床することの多い朝型のユーザーＨのみならず、午後に起床することの多い夜型のユーザーＨに対しても、体内時計の改善提案を促すことができる。なお、本実施形態での累積発電量を基にした通知は、起床の時刻を参照して、その時刻に応じた内容であることが好ましい。
【０１０１】
以上説明したような第３実施形態によっても、ユーザビリティーを向上させることができる。
【０１０２】
以上、本発明について図示の実施形態に基づいて説明したが、本発明は、これらに限定されるものではない。また、本発明の各部の構成は、前述した実施形態と同様の機能を発揮する任意の構成のものに置換することができ、また、任意の構成を付加することもできる。
【０１０３】
また、前述した実施形態では、ユーザーに装着可能な測定機器を例に説明したが、測定機器は、装着できなくてもよい。また、前述した実施形態では、ユーザーが携帯可能である測定機器を例に説明したが、測定機器は、携帯できなくてもよい。
【０１０４】
また、前述した実施形態では、電子時計は、時刻情報を得るために、ＧＰＳ衛星信号を受信する例を挙げたが、電子時計は、時刻情報を得るために、電子時計が他の信号を受信するようにしてもよい。例えば時刻情報を得るために、ＧＰＳ以外にガリレオ、グロナス、ＳＢＡＳ（Satellite-Based  Augmentation  System）、準天頂衛星（みちびき）の信号を利用してもよい。これらの信号はGNSS（Global  Navigation  Satellite  System）と総称される。
【符号の説明】
【０１０５】
１００…測定機器、３…太陽電池、４０…通知部、４…ディスプレイ、５…センシング部、２０…制御部（プロセッサー）、２１…記憶部
【図１】
2019170773.tif 000003
【図２】
2019170773.tif 000004
【図３】
2019170773.tif 000005
【図４】
2019170773.tif 000006
【図５】
2019170773.tif 000007
【図６】
2019170773.tif 000008
【図７】
2019170773.tif 000009